【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
第１可変表示を行う第１可変表示手段と、第２可変表示を行う第２可変表示手段と、を備え、前記第１可変表示手段と前記第２可変表示手段とのいずれかにおける表示結果が特定表示結果となったときに、遊技者にとって有利な有利状態に制御可能な遊技機であって、
前記第１可変表示手段による第１可変表示に関する情報を保留記憶情報として記憶する第１保留記憶手段と、
前記第２可変表示手段による第２可変表示に関する情報を保留記憶情報として記憶する第２保留記憶手段と、
前記第２保留記憶手段の保留記憶情報に基づく前記第２可変表示手段の第２可変表示を、前記第１保留記憶手段の保留記憶情報に基づく前記第１可変表示手段の第１可変表示よりも優先して実行する制御を行なう優先制御手段と、
所定条件の成立に基づいて、所定可変表示回数に亘り、少なくとも前記第２可変表示が通常状態よりも実行されやすい時短状態に制御する時短制御手段と、
前記時短状態中に実行可能な可変表示の残回数を表示する時短残回数表示手段と、
前記残回数の表示を制御可能な残回数表示制御手段と、を備え、
前記時短制御手段は、少なくとも、前記時短状態中における前記第１可変表示および前記第２可変表示の合計回数が第１回数になった第１条件と、前記時短状態中における前記第２可変表示の回数が前記第１回数よりも少ない第２回数になった第２条件と、のいずれか一方の条件が成立したことに基づいて前記時短状態を終了させ、
前記残回数表示制御手段は、前記時短状態中において前記第２可変表示についての前記残回数の表示がされているときに、前記第１可変表示が実行された場合は、当該残回数の表示を消去するように表示制御をすることが可能であり、消去した当該残回数を、当該第１可変表示の終了後に再表示する表示制御をする、遊技機。
【請求項２】
第１可変表示を行う第１可変表示手段と、第２可変表示を行う第２可変表示手段と、を備え、前記第１可変表示手段と前記第２可変表示手段とのいずれかにおける表示結果が特定表示結果となったときに、遊技者にとって有利な有利状態に制御可能な遊技機であって、
前記第１可変表示手段による第１可変表示に関する情報を保留記憶情報として記憶する第１保留記憶手段と、
前記第２可変表示手段による第２可変表示に関する情報を保留記憶情報として記憶する第２保留記憶手段と、
前記第２保留記憶手段の保留記憶情報に基づく前記第２可変表示手段の第２可変表示を、前記第１保留記憶手段の保留記憶情報に基づく前記第１可変表示手段の第１可変表示よりも優先して実行する制御を行なう優先制御手段と、
所定条件の成立に基づいて、所定可変表示回数に亘り、少なくとも前記第２可変表示が通常状態よりも実行されやすい時短状態に制御する時短制御手段と、
前記時短状態中に実行可能な可変表示の残回数を表示する時短残回数表示手段と、
前記残回数の表示を制御可能な残回数表示制御手段と、を備え、
前記時短制御手段は、少なくとも、前記時短状態中における前記第１可変表示および前記第２可変表示の合計回数が第１回数になった第１条件と、前記時短状態中における前記第２可変表示の回数が前記第１回数よりも少ない第２回数になった第２条件と、のいずれか一方の条件が成立したことに基づいて前記時短状態を終了させ、
前記残回数表示制御手段は、前記時短状態中において前記第２可変表示についての前記残回数の表示がされているときに、前記第１可変表示が実行された場合は、当該残回数の表示を更新しない表示制御をすることが可能であり、更新しない表示制御をしている当該残回数の表示態様を所定表示態様に変更する、遊技機。
【手続補正２】
【補正対象書類名】明細書
【補正対象項目名】０００７
【補正方法】変更
【補正の内容】
【０００７】
（１）  第１可変表示（第１特別図柄の可変表示等）を行う第１可変表示手段（第１特別図柄表示器８ａ等）と、第２可変表示（第２特別図柄の可変表示等）を行う第２可変表示手段（第２特別図柄表示器８ｂ等）と、を備え、前記第１可変表示手段と前記第２可変表示手段とのいずれかにおける表示結果が特定表示結果（大当り表示結果等）となったときに、遊技者にとって有利な有利状態（大当り遊技状態等）に制御可能な遊技機（パチンコ遊技機１等）であって、
前記第１可変表示手段による第１可変表示に関する情報を保留記憶情報として記憶する第１保留記憶手段（遊技制御用マイクロコンピュータ５６０、ＲＡＭ５５、第１保留記憶バッファ等）と、
前記第２可変表示手段による第２可変表示に関する情報を保留記憶情報として記憶する第２保留記憶手段（遊技制御用マイクロコンピュータ５６０、ＲＡＭ５５、第２保留記憶バッファ等）と、
前記第２保留記憶手段の保留記憶情報に基づく前記第２可変表示手段の第２可変表示を、前記第１保留記憶手段の保留記憶情報に基づく前記第１可変表示手段の第１可変表示よりも優先して実行する制御を行なう優先制御手段（遊技制御用マイクロコンピュータ５６０、図１２のＳ５２〜Ｓ５４等）と、
所定条件の成立に基づいて、所定可変表示回数に亘り、少なくとも前記第２可変表示が通常状態よりも実行されやすい時短状態に制御する時短制御手段（遊技制御用マイクロコンピュータ５６０、図１４のＳ１６３〜Ｓ１７０等）と、
前記時短状態中に実行可能な可変表示の残回数を表示する時短残回数表示手段（演出表示装置９、時短残回数画像９６等）と、
前記残回数の表示を制御可能な残回数表示制御手段（演出制御用マイクロコンピュータ１００、図３３−２（Ｂ）のＳ９２５〜Ｓ９２９等）と、を備え、
前記時短制御手段は、少なくとも、前記時短状態中における前記第１可変表示および前記第２可変表示の合計回数が第１回数（１１回等）になった第１条件と、前記時短状態中における前記第２可変表示の回数が前記第１回数よりも少ない第２回数（７回等）になった第２条件と、のいずれか一方の条件が成立したことに基づいて前記時短状態を終了させ（遊技制御用マイクロコンピュータ５６０、図２の時短状態の設定、図１３のＳ１４２〜Ｓ１５１等）、
前記残回数表示制御手段は、前記時短状態中において前記第２可変表示についての前記残回数の表示がされているときに、前記第１可変表示が実行された場合は、当該残回数の表示を消去するように表示制御をすることが可能であり、消去した当該残回数を、当該第１可変表示の終了後に再表示する表示制御をする（図３３−１、図３３−２）。
【手続補正３】
【補正対象書類名】明細書
【補正対象項目名】０００９
【補正方法】変更
【補正の内容】
【０００９】
（２）  第１可変表示（第１特別図柄の可変表示等）を行う第１可変表示手段（第１特別図柄表示器８ａ等）と、第２可変表示（第２特別図柄の可変表示等）を行う第２可変表示手段（第２特別図柄表示器８ｂ等）と、を備え、前記第１可変表示手段と前記第２可変表示手段とのいずれかにおける表示結果が特定表示結果（大当り表示結果等）となったときに、遊技者にとって有利な有利状態（大当り遊技状態等）に制御可能な遊技機（パチンコ遊技機１等）であって、
前記第１可変表示手段による第１可変表示に関する情報を保留記憶情報として記憶する第１保留記憶手段（遊技制御用マイクロコンピュータ５６０、ＲＡＭ５５、第１保留記憶バッファ等）と、
前記第２可変表示手段による第２可変表示に関する情報を保留記憶情報として記憶する第２保留記憶手段（遊技制御用マイクロコンピュータ５６０、ＲＡＭ５５、第２保留記憶バッファ等）と、
前記第２保留記憶手段の保留記憶情報に基づく前記第２可変表示手段の第２可変表示を、前記第１保留記憶手段の保留記憶情報に基づく前記第１可変表示手段の第１可変表示よりも優先して実行する制御を行なう優先制御手段（遊技制御用マイクロコンピュータ５６０、図１２のＳ５２〜Ｓ５４等）と、
所定条件の成立に基づいて、所定可変表示回数に亘り、少なくとも前記第２可変表示が通常状態よりも実行されやすい時短状態に制御する時短制御手段（遊技制御用マイクロコンピュータ５６０、図１４のＳ１６３〜Ｓ１７０等）と、
前記時短状態中に実行可能な可変表示の残回数を表示する時短残回数表示手段（演出表示装置９、時短残回数画像９６等）と、
前記残回数の表示を制御可能な残回数表示制御手段（演出制御用マイクロコンピュータ１００、図３３−４（Ｂ）のＳ９２５〜Ｓ９２９等）と、を備え、
前記時短制御手段は、少なくとも、前記時短状態中における前記第１可変表示および前記第２可変表示の合計回数が第１回数（１１回等）になった第１条件と、前記時短状態中における前記第２可変表示の回数が前記第１回数よりも少ない第２回数（７回等）になった第２条件と、のいずれか一方の条件が成立したことに基づいて前記時短状態を終了させ（遊技制御用マイクロコンピュータ５６０、図２の時短状態の設定、図１３のＳ１４２〜Ｓ１５１等）、
前記残回数表示制御手段は、前記時短状態中において前記第２可変表示についての前記残回数の表示がされているときに、前記第１可変表示が実行された場合は、当該残回数の表示を更新しない表示制御をすることが可能であり、更新しない表示制御をしている当該残回数の表示態様を所定表示態様に変更する（図３３−３、図３３−４）。